(57)【要約】【課題】土砂や落ち葉等の堆積物の除去作業等が容易なＵ字溝を提供する。【解決手段】底壁部１４と両側壁部１６とが一体に形成されて断面Ｕ字状に設けられ、底壁部１４と両側壁部１６の外壁面が、長手方向に直交する方向に伸びる複数の凹条１８および凸条２０を有する波状に形成された樹脂製のＵ字溝本体１２と、断面Ｌ字状をなし、Ｌ字の一方の板状部２２ａがＵ字溝本体１２の側壁部１６の上端縁に沿い、Ｌ字の他方の板状部２２ｂがＵ字溝本体１２の側壁部１６の内壁面上部に沿うようにして、各側壁部１６上部にそれぞれ固定されたアングル型補強部材２２と、Ｕ字状をなし、Ｕ字溝本体１２の底壁部１６と両側壁部１６の外壁面の凹条に沿うように配置されて、Ｕ字の各端部において、固定具２４によりアングル型補強部材２２に固定されたＵ字状補強部材２６とを具備する。【選択図】図２
2015124509.tif 000002
【特許請求の範囲】
【請求項１】
流体通路を形成すべく底壁部と両側壁部とが一体に形成されて断面Ｕ字状に設けられると共に、前記底壁部と前記両側壁部の外壁面が、長手方向に直交する方向に伸びる複数の凹条および凸条を有する波状に形成された樹脂製のＵ字溝本体と、
断面Ｌ字状をなし、Ｌ字の一方の板状部が前記Ｕ字溝本体の側壁部の上端縁に沿い、Ｌ字の他方の板状部が前記Ｕ字溝本体の側壁部の内壁面上部に沿うようにして、前記各側壁部上部にそれぞれ固定されたアングル型補強部材と、
Ｕ字状をなし、前記Ｕ字溝本体の前記底壁部と前記両側壁部の外壁面の凹条に沿うように配置されて、Ｕ字の各端部において、固定具により前記アングル型補強部材に固定されたＵ字状補強部材とを具備することを特徴とするＵ字溝。
【請求項２】
前記固定具が前記Ｕ字溝本体を貫通し、前記Ｕ字状補強部材が、前記Ｕ字溝本体を介在させて、前記固定具により前記アングル型補強部材の前記他方の板状部に固定されていることを特徴とする請求項１記載のＵ字溝。
【請求項３】
前記Ｕ字状補強部材がパイプ材をＵ字状に曲折したものであることを特徴とする請求項１または２記載のＵ字溝。
【請求項４】
前記Ｕ字溝本体が、波板からなる断面Ｕ字状の樹脂板と、該樹脂板の内側に一体的に固着され、平板からなる断面Ｕ字状の樹脂板との二重構造をなすことを特徴とする請求項１〜３いずれか１項記載のＵ字溝。
【請求項５】
前記Ｕ字状補強部材に浮き上がり防止部材が取り付けられていることを特徴とする請求項１〜４いずれか１項記載のＵ字溝。
【請求項６】
前記浮き上がり防止部材が、前記Ｕ字状補強部材の底辺部から外方に伸びる延伸部と、前記Ｕ字状補強部材の立ち上がり部と前記延伸部とを連結する連結部とを有することを特徴とする請求項５記載のＵ字溝。
【請求項７】
前記浮き上がり防止部材が、前記Ｕ字状補強部材に取り付けられた係止部材と、該係止部材に係止可能なアンカーピンとからなることを特徴とする請求項５記載のＵ字溝。
【発明の詳細な説明】
【技術分野】
【０００１】
本発明は樹脂製のＵ字溝に関する。
【背景技術】
【０００２】
近年、軽量の樹脂製のＵ字溝も用いられるようになっている。この樹脂製のＵ字溝は肉厚が薄く、剛性があまりないので、側壁が横からの力（土圧）を受け、内側へ倒れ込んでしまうことがある。これを防止するため、樹脂製のＵ字溝本体の各側壁部の上縁に沿って、それぞれ断面Ｌ字状のアングル型補強部材（縦補強部材）を固定すると共に、この両アングル型補強部材に橋渡し状態に横補強部材を固定して、土圧に対して補強したＵ字溝が知られている（例えば特許文献１）。
【先行技術文献】
【特許文献】
【０００３】
【特許文献１】特開平１１−１９５６号公報
【発明の概要】
【発明が解決しようとする課題】
【０００４】
上記樹脂製のＵ字溝によれば、樹脂製のＵ字溝本体の上縁がアングル型補強部材により補強されると共に、両アングル型補強部材に橋渡し状態に横補強部材が固定されているので、樹脂製のものであっても、特に横補強部材の突張力により、土圧に有効に耐えられるものになっている。
【０００５】
しかしながら、上記樹脂製のＵ字溝の場合であっても、次のような課題があることが判明した。
すなわち、Ｕ字溝本体を横切る横補強部材が存在することから、大きな木の枝やごみ等が引っ掛かりやすいという課題がある。また、Ｕ字溝内に堆積した土砂や落ち葉などの堆積物の除去作業において、Ｕ字溝本体を横切る横補強部材が作業の障害となっていた。また、豪雪地帯において、積雪による重みによって横補強部材が変形を起こす事例が時々発生している。その対策として、横補強部材のアングル材料に、厚みのある強度の高い材料を用いなければならないという課題があった。
【０００６】
本発明は、上記課題を解決すべくなされたものであり、その目的とするところは、大きな木の枝やごみ等が引っ掛かることがなく、土砂や落ち葉等の堆積物の除去作業が容易で、また、積雪などによって補強部材が変形するなどすることのないＵ字溝を提供するにある。
【課題を解決するための手段】
【０００７】
上記の目的を達成するため、本発明は次の構成を備える。
すなわち、本発明に係るＵ字溝は、流体通路を形成すべく底壁部と両側壁部とが一体に形成されて断面Ｕ字状に設けられると共に、前記底壁部と前記両側壁部の外壁面が、長手方向に直交する方向に伸びる複数の凹条および凸条を有する波状に形成された樹脂製のＵ字溝本体と、断面Ｌ字状をなし、Ｌ字の一方の板状部が前記Ｕ字溝本体の側壁部の上端縁に沿い、Ｌ字の他方の板状部が前記Ｕ字溝本体の側壁部の内壁面上部に沿うようにして、前記各側壁部上部にそれぞれ固定されたアングル型補強部材と、Ｕ字状をなし、前記Ｕ字溝本体の前記底壁部と前記両側壁部の外壁面の凹条に沿うように配置されて、Ｕ字の各端部において、固定具により前記アングル型補強部材に固定されたＵ字状補強部材とを具備することを特徴とする。
【０００８】
また、前記固定具が前記Ｕ字溝本体を貫通し、前記Ｕ字状補強部材が、前記Ｕ字溝本体を介在させて、前記固定具により前記アングル型補強部材の他方の板状部に固定されていることを特徴とする。
前記Ｕ字状補強部材に、パイプ材をＵ字状に曲折したものを用いることができる。
【０００９】
前記Ｕ字溝本体を、波板からなる断面Ｕ字状の樹脂板と、該樹脂板の内側に一体的に固着され、平板からなる断面Ｕ字状の樹脂板との二重構造に形成することができる。
また、前記Ｕ字状補強部材に浮き上がり防止部材を取り付けるようにすることができる。該浮き上がり防止部材を、前記Ｕ字状補強部材の底辺部から外方に伸びる延伸部と、前記Ｕ字状補強部材の立ち上がり部と前記延伸部とを連結する連結部とで形成することができる。
また、前記浮き上がり防止部材を、前記Ｕ字状補強部材に取り付けられた係止部材と、該係止部材に係止可能なアンカーピンとから構成することもできる。
【発明の効果】
【００１０】
本発明によれば、従来のようにＵ字溝本体を横切る横補強材に代えて、Ｕ字溝本体の外壁面に沿うＵ字状補強部材を設けたので、大きな木の枝やごみ等が引っ掛かることがなく、土砂や落ち葉等の堆積物の除去作業が容易で、また、積雪などによって補強部材が変形するなどすることのないＵ字溝を提供することができる。
【図面の簡単な説明】
【００１１】
【図１】Ｕ字溝の平面図である。
【図２】Ｕ字溝の正面図である。
【図３】Ｕ字溝の底面図である。
【図４】Ｕ字溝の側面図である。
【図５】Ｕ字状補強部材の説明図である。
【図６】Ｕ字状補強部材に浮き上がり防止部材を取り付けた状態を示す説明図である。
【図７】浮き上がり防止部材の他の実施の形態を示す説明図である。
【発明を実施するための形態】
【００１２】
以下本発明の実施の形態を添付図面に基づき詳細に説明する。
図１はＵ字溝１０の平面図、図２はその正面図、図３はその底面図、図４はその側面図である。
１２はＵ字溝本体であり、高密度ポリエチレンまたは中密度ポリエチレン等の樹脂材から成る。Ｕ字溝本体１２は、流体通路を形成すべく底壁部１４と両側壁部１６とが一体に形成されて断面Ｕ字状に設けられている。また、Ｕ字溝本体１２は、底壁部１４と両側壁部１６の外壁面が、長手方向に直交する方向に伸びる複数の凹条１８および凸条２０を有する波状に形成されている。
【００１３】
Ｕ字溝本体１２は、例えば前記特許文献１のような具体的構造を有するものを採用できる。このＵ字溝本体１２は、内面および外面ともに波形を呈する１重構造のものである。このＵ字溝本体１２の製造方法は、特許文献１に示すように、公知の回転成形法によって製造できる。あるいは、Ｕ字溝本体１２は押出成形によっても製造できる。
【００１４】
あるいは、Ｕ字溝本体１２は、特開２００６−６３５４１号公報に示されるような、波板からなる断面Ｕ字状の樹脂板と、該樹脂板の内側に一体的に固着され、平板からなる断面Ｕ字状の樹脂板との二重構造をなすＵ字溝本体であってもよい。この、Ｕ字溝本体１２の製法も公知の製法を採用できるので、その説明を省略する。
【００１５】
次に、２２はアングル型補強部材であり、断面Ｌ字状をなし、Ｌ字の一方の板状部２２ａがＵ字溝本体１２の側壁部１６の上端縁に沿い、Ｌ字の他方の板状部２２ｂがＬ字溝本体１２の側壁部１６の内壁面上部に沿うようにして、側壁部１６上部に固定されている。アングル型補強部材２２は、両側壁部１６上部にそれぞれ固定されている。またアングル型補強部材２２は、Ｕ字溝本体１２の側壁部１６と、上記他方の板状部２２ｂを貫通するボルトとナット等の固定具２４により、側壁部１６に固定されている。
【００１６】
アングル型補強部材２２は、図１〜図３に示すように、Ｕ字溝本体１２の一方の端部までには至らない長さにし、当該端部側に、Ｕ字溝本体１２の波部を３つの山の部分ほど露出させるようにする。この部位に、隣接して接続するＵ字溝本体の一端部を係合させるようにして載せることにより、Ｕ字溝１０同士を接続することができる。
【００１７】
次に、２６はＵ字状補強部材である。
Ｕ字状補強部材２６は、底辺部２６ａと、底辺部２６ａの両端から上方に伸びる立ち上がり部２６ｂを有してＵ字状をなしている。このＵ字状補強部材２６は、Ｕ字溝本体１２の底壁部１４と両側壁部１６の外壁面の凹条に沿うように配置されている。そして、Ｕ字の各端部において該端部を挿通する前記固定具２４により、アングル型補強部材２２の前記他方の板状部２２ｂとの間でＵ字状本体１２の側壁部１６を挟むようにして、該他方の板状部２２ｂに固定されている。図示の例では、Ｕ字状補強部材２６は、１つのＵ字溝１０において、長手方向に間隔をおいて２個配置されているが、Ｕ字溝１０の長さに応じて適宜個数配置するようにすればよい。
【００１８】
なお、上記では、共通の固定具２４により、アングル型補強部材２２とＵ字状補強部材２６とをＵ字溝本体部１２の側壁部１６に固定するようにしたが、Ｕ字状補強部材２６は、溶接により、アングル型補強部材２２の一方の板状部２２ａに固定するようにしてもよい。
【００１９】
Ｕ字状補強部材２６は、鋼材の丸棒であってもよいが、強度の点から、パイプ材をＵ字状に曲折したものであってもよい。あるいはＵ字状補強材２６は、等辺山形鋼等の鋼材を用いたものであってもよい。
【００２０】
また、樹脂製のＵ字溝１０は軽量のため、湧水から浮力を受け、浮き上がってしまうことがある。そこで、浮き上がり防止部材２８をＵ字状補強部材２６に取り付けるようにすると好適である。
【００２１】
浮き上がり防止部材２８は、図６に示すように、Ｕ字状補強部材２６の底辺部２６ａから両外方に伸びる延伸部２８ａと、Ｕ字状補強部材２６の立ち上がり部２６ｂと延伸部２８ａの中途部とを連結する連結部２８ｂとを有する三角形構造とすると好適である。
【００２２】
浮き上がり防止部材２８をこのような三角形構造とすることによって、Ｕ字溝１０の浮き上がりを防止できるだけでなく、Ｕ字状補強部材２６の立ち上がり部２６ｂの内側への倒れ込みをさらに防止できる、補強部材としての機能も有するようになる。なお、連結部２８ｂは、板状の他、パイプ状、棒状のものとしてもよい。
なおまた、Ｕ字状補強部材２６は、図６に示すようにコの字状に設けてもよい。Ｕ字状補強部材のＵ字は、このようなコの字を含む概念として用いている。
【００２３】
図７は、浮き上がり防止部材２８の他の実施の形態を示す。
本実施の形態では、浮き上がり防止部材２８を、Ｕ字状補強部材２６に溶接等によって取り付けたパイプ状等の係止部材２８ｃと、この係止部材２８ｃを挿通して係止部材２８ｃに係止可能なアンカーピン２８ｄとで構成している。したがって、アンカーピン２８ｄを地中に打ち込むことで、Ｕ字溝本体１２の浮き上がりを防止できる。
【００２４】
本実施の形態に係るＵ字溝１０は上記のように構成され、従来のように、Ｕ字溝１０を横切る補強部材が存在しないから、大きな木の枝やゴミ等が引っ掛かることがなくなる。また、Ｕ字溝の内部に堆積した土砂や落ち葉等の堆積物の除去作業も容易に行うことができる。また、豪雪地帯において、積雪による重みによって横補強材が変形するような不具合もなくなる。
【００２５】
また、外部に露出するＵ字状補強部材２６を利用して浮き上がり防止部材２８を取り付けることも容易にできる。
【符号の説明】
【００２６】
１０  Ｕ字溝
１２  Ｕ字溝本体
１４  底壁部
１６  側壁部
１８  凹条
２０  凸条
２２  アングル型補強部材
２２ａ  一方の板状部
２２ｂ  他方の板状部
２４  固定具
２６  Ｕ字状補強部材
２６ａ  底辺部
２６ｂ  立ち上がり部
２８  浮き上がり防止部材
２８ａ  延伸部
２８ｂ  連結部
２８ｃ  係止部材
２８ｄ  アンカーピン
【図１】
2015124509.tif 000003
【図２】
2015124509.tif 000004
【図３】
2015124509.tif 000005
【図４】
2015124509.tif 000006
【図５】
2015124509.tif 000007
【図６】
2015124509.tif 000008
【図７】
2015124509.tif 000009